【事件の表示】
　特許第３１５５７１５号「自励式スイッチング電源回路」の請求項１に係る特許に対する特許異議の申立てについて、次のとおり決定する。
【結　論】
　訂正を認める。
　特許第３１５５７１５号の請求項１に係る特許を取り消す。
【理　由】
１．手続きの経緯
　特許第３１５５７１５号の請求項１に係る発明についての出願は、平成８年９月２７日に特許出願され、平成１３年２月２日にその発明について特許権の設定登録がなされ、その後、その特許について、異議申立人雨宮範子より特許異議の申立てがなされ、取消しの理由が通知され、その指定期間内である平成１４年３月１２日に訂正請求がなされたものである。
　
２．訂正の適否
（１）訂正の内容
　請求項１の記載について、「該定電圧ダイオードの両端の電圧を該第２の抵抗素子と第３の抵抗素子で分圧し電圧を供給する回路、」を追加し、全体を
「インダクタンス部品とスイッチング素子を直列に接続し、該インダクタンス部品に発生する電圧を該スイッチング素子にフィードバックして自励発振を行わせる自励式スイッチング電源回路において、
該スイッチング素子の主電流路に直列接続され、該スイッチング素子に流れる電流を検出する電流検出手段、
該スイッチング素子の制御端子に接続され、該電流検出手段からの信号に応じて該スイッチング素子の制御端子に入力される信号を制限する制御手段、
回路の入力端子に接続され、回路の入力電圧で該スイッチング素子に順方向バイアスを与えるための第１の抵抗素子よりなる起動回路、並びに、該起動回路と入力端子との間に接続された定電圧ダイオード及び該起動回路と該スイッチング素子の制御端子との間に接続された第２の抵抗素子よりなる定電流回路、該定電圧ダイオードの両端の電圧を該第２の抵抗素子と第３の抵抗素子で分圧し電圧を供給する回路、を具備することを特徴とする自励式スイッチング電源回路。」
と訂正する。
（２）訂正の目的の適否、新規事項の有無、及び特許請求の範囲の拡張・変更の存否
　上記訂正は、発明を特定する事項として、「該定電圧ダイオードの両端の電圧を該第２の抵抗素子と第３の抵抗素子で分圧し電圧を供給する回路、」を追加するものであり、かかる事項は、願書に添付された図面の【図１】に記載されているから、特許請求の範囲の減縮を目的とした明細書の訂正に該当し、新規事項の追加に該当せず、実質的に特許請求の範囲を拡張又は変更するものではない。
（３）むすび
　したがって、上記訂正は、特許法第１２０条の４第２項及び同条第３項で準用する第１２６条第２項から第４項までの規定に適合するので、当該訂正を認める。
　
３．特許異議の申立てについての判断
（１）本件発明
　上記２．で示したように上記訂正が認められるから、本件の請求項１に係る発明（以下、「本件発明」という。）は、上記訂正に係る訂正明細書の特許請求の範囲の請求項１に記載された事項により特定されるとおりのものである。（上記２．（１）参照）
（２）引用刊行物に記載された発明
　当審で通知した取消しの理由で引用した刊行物１（特開平６−３１１７４６号公報、以下「引用例」という。）には、
「この発明は、スイッチングトランジスタを自励発振させ、スイッチングトランジスタによりトランスの一次巻線に流れる電流をオン／オフする自励型のスイッチング電源回路において、スイッチングトランジスタとして電界効果型トランジスタを用いるようにしたことを特徴とするスイッチング電源回路である。」（３欄３３−３９行）、
「この電流ｉP は、抵抗２２により検出される。電流ｉP が増大すると、抵抗２２の両端電圧が上昇していく。抵抗２２の端子電圧がツェナーダイオード２３のツェナー電圧にトランジスタ２４のベース・エミッタ間電圧を加えた電圧を越える時点ｔ2 で、トランジスタ２４がオンする。
　トランジスタ２４がオンすると、ＦＥＴ１６のゲート電圧が下がり、ＦＥＴ１６がオフする。」（６欄１５−２２行）、
「ところが、コンデンサ１２の容量を小さくすると、例えば、入力商用電源が１００Ｖから２４０Ｖまで対応できるようにした場合、電源ライン６と電源ライン７との間の電圧は、０〜（２４０×√２）Ｖまで変化する。
　そこで、この発明の一実施例では、スイッチングトランジスタとして、スイッチング効率が優れているＦＥＴ１６を用いている。そして、ＦＥＴ１６のバイアスをツェナーダイオード１４で形成するようにしている。コンデンサ１２の容量を小さくすると、図３Ａに示すように、電源ライン６と電源ライン７との間の電圧は大きく変動する。ところが、ＦＥＴ１６のバイアス電圧は、ツェナーダイオード１４により形成されているので、図３Ｂに示すように、電源ライン６と電源ライン７との間の電圧変動に係わらず、略々一定している。」（７欄３２行−８欄１６行）
と記載されていることが認められ、これらの記載及び図１の記載によれば、引用例には、
「インダクタンス部品とスイッチング素子を直列に接続し、該インダクタンス部品に発生する電圧を該スイッチング素子にフィードバックして自励発振を行わせる自励式スイッチング電源回路において、
該スイッチング素子の主電流路に直列接続され、該スイッチング素子に流れる電流を検出する電流検出手段、
該スイッチング素子の制御端子に接続され、該電流検出手段からの信号に応じて該スイッチング素子の制御端子に入力される信号を制限する制御手段、
電源ライン６に接続され、回路の入力電圧で該スイッチング素子に順方向バイアスを与えるための抵抗１３、並びに、該抵抗１３と電源ライン７との間に接続された定電圧ダイオード及び該抵抗１３と該スイッチング素子の制御端子との間に接続された抵抗１５、を具備する自励式スイッチング電源回路。」
との発明（以下、「引用発明」という。）が記載されていると認めることができる。
（３）対比・判断
　本件発明と引用発明とを対比すると、引用発明の「電源ライン６」「電源ライン７」は、いずれも、本件発明の「回路の入力端子」に相当し、以下同様に、「抵抗１３」が「第１の抵抗素子よりなる起動回路」に、「抵抗１５」が「第２の抵抗素子よりなる定電流回路」に、それぞれ相当するから、両者は、
「インダクタンス部品とスイッチング素子を直列に接続し、該インダクタンス部品に発生する電圧を該スイッチング素子にフィードバックして自励発振を行わせる自励式スイッチング電源回路において、
該スイッチング素子の主電流路に直列接続され、該スイッチング素子に流れる電流を検出する電流検出手段、
該スイッチング素子の制御端子に接続され、該電流検出手段からの信号に応じて該スイッチング素子の制御端子に入力される信号を制限する制御手段、
回路の入力端子に接続され、回路の入力電圧で該スイッチング素子に順方向バイアスを与えるための第１の抵抗素子よりなる起動回路、並びに、該起動回路と入力端子との間に接続された定電圧ダイオード及び該起動回路と該スイッチング素子の制御端子との間に接続された第２の抵抗素子よりなる定電流回路、を具備する自励式スイッチング電源回路。」
で一致し、本件発明が「定電圧ダイオードの両端の電圧を第２の抵抗素子と第３の抵抗素子で分圧し電圧を供給する回路」を備えるのに対し、引用発明がかかる構成を備えない点で相違する。
　しかしながら、本件発明が、上記相異点に係る構成を採用したのは、特許異議意見書の「請求項１に係る発明の自励式スイッチング電源回路は、前述のような目的および解決策としての構成により、スイッチングトランジスタＱ１のゲートとソースの間に抵抗Ｒ３を接続し、定電圧ダイオードＤＺ２の両端の電圧を抵抗Ｒ１０と抵抗Ｒ３で分圧し、スイッチングトランジスタＱ１のゲートに適切な電圧を供給できる回路であります。さらに、使用するスイッチングトランジスタＱ１の特性に合わせるために抵抗Ｒ１０、抵抗Ｒ３、定電圧ダイオードＤＺ２を選択し、容易に特性を合わせることができます。」（３頁１７−２３行）との記載を参酌すると、定電圧ダイオードＤＺ２の両端の電圧を抵抗Ｒ１０と抵抗Ｒ３で分圧することにより、スイッチングトランジスタＱ１のゲートに適切な電圧を供給するためであると認められるところ、一般に、所定の電圧を得るために抵抗で分圧することは、例をあげるまでもなく周知の技術事項である。
　そして、引用発明においても、スイッチングトランジスタのゲートに適切な電圧を供給すべきことは、当業者にとって自明のことといえ、そのための構成として、前記周知技術を適用することを妨げる特段の事情もないのであるから、そうすると、上記相異点に係る本件発明の構成は、当業者が必要に応じて容易に採用しえた設計事項というべきものである。
　したがって、本件発明は、引用発明及び周知技術に基づいて当業者が容易に発明をすることができたものであり、本件発明についての特許は、特許法第２９条第２項の規定に違反してされたものである。
（４）むすび
　以上のとおりであるから、本件発明についての特許は、特許法第１１３条第２号に該当し、取り消されるべきものである。
　よって、結論のとおり決定する。
【異議決定日】
平成１４年３月２９日（２００２．３．２９）
【訂正の要旨】
訂正の要旨
　請求項１の記載について、「該定電圧ダイオードの両端の電圧を該第２の抵抗素子と第３の抵抗素子で分圧し電圧を供給する回路、」を追加し、全体を
「インダクタンス部品とスイッチング素子を直列に接続し、該インダクタンス部品に発生する電圧を該スイッチング素子にフィードバックして自励発振を行わせる自励式スイッチング電源回路において、
該スイッチング素子の主電流路に直列接続され、該スイッチング素子に流れる電流を検出する電流検出手段、
該スイッチング素子の制御端子に接続され、該電流検出手段からの信号に応じて該スイッチング素子の制御端子に入力される信号を制限する制御手段、
回路の入力端子に接続され、回路の入力電庄で該スイッチング素子に順方向バイアスを与えるための第１の抵抗素子よりなる起動回路、並びに、該起動回路と入力端子との間に接続された定電圧ダイオード及び該起動回路と該スイッチング素子の制御端子との間に接続された第２の抵抗素子よりなる定電流回路、該定電圧ダイオードの両端の電圧を該第２の抵抗素子と第３の抵抗素子で分圧し電圧を供給する回路、を具備することを特徴とする自励式スイッチング電源回路。」
と訂正する。
（５４）【発明の名称】
自励式スイッチング電源回路
（５７）【特許請求の範囲】
　【請求項１】　インダクタンス部品とスイッチング素子を直列に接続し、該インダクタンス部品に発生する電圧を該スイッチング素子にフィードバックして自励発振を行わせる自励式スイッチング電源回路において、
該スイッチング素子の主電流路に直列接続され、該スイッチング素子に流れる電流を検出する電流検出手段、
該スイッチング素子の制御端子に接続され、該電流検出手段からの信号に応じて該スイッチング素子の制御端子に入力される信号を制限する制御手段、
回路の入力端子に接続され、回路の入力電圧で該スイッチング素子に順方向バイアスを与えるための第１の抵抗素子よりなる起動回路、並びに、該起動回路と入力端子との間に接続された定電圧ダイオード及び該起動回路と該スイッチング素子の制御端子との間に接続された第２の抵抗素子よりなる定電流回路、
該定電圧ダイオードの両端の電圧を該第２の抵抗素子と第３の抵抗素子で分圧し電圧を供給する回路、
【発明の詳細な説明】
　【０００１】
　【発明の属する技術分野】
　本発明は、スイッチング素子に流れる電流から過電流を検出し、スイッチング素子のオンデューティを制限して過電流保護動作を行う自励発振方式のスイッチング電源回路において、過電流保護動作時の負荷電流に対する出力電圧の垂下特性を改善するための技術に関する。
　【０００２】
　【従来の技術】
　スイッチング電源は、その駆動形態によって自励発振方式（以下、自励式という）と他励発振方式とに分けられる。自励式のスイッチング電源は、トランス等のインダクタンス部品の所定の巻線に現れる電圧を駆動信号としてスイッチング素子に正帰還させ、スイッチング素子に自励発振を行わせるものが一般的である。このような自励式のスイッチング電源回路の一例としては図４に示すようなものが存在した。
　図４に示すスイッチング電源回路は以下のような構成となっている。
　【０００３】
　入力端子１ａ、１ｂ間にトランスＴの１次巻線Ｎ１、スイッチングトランジスタＱ１、抵抗Ｒ１が直列接続され、２次巻線Ｎ２の一端はダイオードＤ１とチョークコイルＬ１を介して出力端子２ａに接続され、２次巻線Ｎ２の他端は出力端子２ｂに接続されている。チョークコイルＬ１とダイオードＤ１の接続点と出力端子２ｂとの間には平滑コンデンサＣ１が接続され、出力端子２ａ、２ｂ間にはコンデンサＣ２が接続されている。このトランスＴ、スイッチングトランジスタＱ１、ダイオードＤ１及び平滑コンデンサＣ１により基本的な電源回路が構成されており、抵抗Ｒ１はこの電源回路に流れる電流の検出手段となっている。
　【０００４】
　入力端子１ａとスイッチングトランジスタＱ１のゲートとの間には抵抗Ｒ２が接続され、スイッチングトランジスタＱ１のゲート、ソース間には抵抗Ｒ３が接続されている。この抵抗Ｒ２はスイッチングトランジスタＱ１に順方向バイアスを与えるための起動回路である。
　スイッチングトランジスタＱ１のゲートと入力端子１ｂとの間には抵抗Ｒ４、コンデンサＣ３及び３次巻線Ｎ３が直列接続され、信号帰還部を形成している。
　スイッチングトランジスタＱ１のゲートと入力端子１ｂとの間に制御用のトランジスタＱ２が接続され、このトランジスタＱ２のベースと抵抗Ｒ１のスイッチングトランジスタＱ１側の一端との間に抵抗Ｒ９、コンデンサＣ５及びダイオードＤ３の並列回路が接続されている。この抵抗Ｒ９、コンデンサＣ５及びダイオードＤ３の並列回路は、制御用のトランジスタＱ２を含めて過電流保護部を形成している。
　【０００５】
　そして、信号帰還部の３次巻線Ｎ３とコンデンサＣ３の接続点とトランジスタＱ２のベースとの間にダイオードＤ２とフォトカプラ受光素子ＰＨ２を直列接続し、フォトカプラ発光素子ＰＨ１は抵抗Ｒ８及びシャントレギュレータＳＲと直列に接続し、このフォトカプラ発光素子ＰＨ１は抵抗Ｒ８及びシャントレギュレータＳＲの直列回路は平滑コンデンサＣ２に対して並列に接続されている。このフォトカプラ受光素子ＰＨ１、フォトカプラ発光素子ＰＨ２、ダイオードＤ２、抵抗Ｒ８及びシャントレギュレータＳＲは、トランジスタＱ２を含めて定電圧制御部を形成している。
　フォトカプラ受光素子ＰＨ２には定電圧ダイオードＤＺ１と抵抗Ｒ１の直列回路が並列に接続されており、この直列回路は信号補正部を形成している。
　コンデンサＣ２に対して抵抗Ｒ６とＲ７の直列回路が並列に接続され、抵抗Ｒ６と抵抗Ｒ７の接続点がシャントレギュレータＳＲのゲート端子に接続され、シャントレギュレータＳＲのゲート端子とアノード端子の間にコンデンサＣ４を接続している。この抵抗Ｒ６と抵抗Ｒ７の直列回路は電圧検出部となっている。
　【０００６】
　このような構成とした図４の回路の各部分は、概略として以下のように動作する。
　まず抵抗Ｒ１がスイッチングトランジスタＱ１のゲートに初期の順方向バイアスを与え、スイッチングトランジスタＱ１を導通状態とする。トランスＴの各巻線にはスイッチングトランジスタＱ１の状態に応じて電圧が誘起され、ここで、３次巻線Ｎ３に発生した電圧は、コンデンサＣ３、抵抗Ｒ４を介してスイッチングトランジスタＱ１のゲートに順方向バイアスあるいは逆バイアスを与えてスイッチングトランジスタＱ１を駆動する。すなわち、３次巻線Ｎ３、コンデンサＣ３、抵抗Ｒ４の信号帰還部がスイッチングトランジスタＱ１のゲートに信号を帰還し、スイッチングトランジスタＱ１に自励発振動作を持続させるように作用する。
　【０００７】
　自励発振動作に伴って誘起された２次巻線Ｎ２の電圧はダイオードＤ１、平滑コンデンサＣ２によって整流・平滑され、さらにチョークコイルＬ１、コンデンサＣ２によってリップルが除去されて出力電圧として出力端子２ａ、２ｂより外部へ供給される。
　ここで、シャントレギュレータＳＲは、抵抗Ｒ６、Ｒ７で検出した出力電圧に応じた制御信号を発生させる。そして制御信号はフォトカプラ発光素子ＰＨ１、受光素子ＰＨ２を介して伝送され、トランジスタＱ２のベースに入力される。トランジスタＱ２は制御信号に応じてスイッチングトランジスタＱ１のバイアス電圧を変化させ、これにより定電圧制御動作を行う。
　【０００８】
　正常な運転状態では、以上の自励発振動作と定電圧制御動作が図４の回路中で定常的に行われる。もしここで、出力端子２ａ、２ｂに接続された負荷が異常な状態となり、スイッチングトランジスタＱ１に過大な電流が流れるようになると、その電流の大きさに応じた電圧が抵抗Ｒ１の端子間に現れる。この抵抗Ｒ１の端子間に現れた電圧は過電流保護部の抵抗Ｒ９とコンデンサＣ５を介してトランジスタＱ２に印加され、トランジスタＱ２はその電圧に応じてスイッチングトランジスタＱ１のバイアス電圧を低下させる。その結果、スイッチングトランジスタＱ１に流れる電流の増加が抑制され、過電流保護動作が行われるようになる。
　【０００９】
　図４に示す電源回路で、出力端子２ａ、２ｂから見た出力側のインピーダンスを小さくしていくと、回路の負荷電流が増加し、これに伴ってスイッチングトランジスタＱ１に流れる電流も増加していく。この時には、回路の定電圧制御動作によって出力電圧が一定で、負荷電流だけが増加していくことになる。ここで、さらにインピーダンスを小さくすると、やがて出力電流の増加に伴ってスイッチングトランジスタＱ１に流れる電流が過大な状態となる。すると過電流保護動作が行われ、今度は出力電流が一定となり、代わって出力電圧が低下するようになる。
　この、負荷状態によって定電圧あるいは定電流となる負荷電流と出力電圧の関係は、一般に出力の垂下特性として知られており、代表的な回路保護のための手段となっている。
　【００１０】
　【発明が解決しようとする課題】
　ところで、一般的な電源回路では、例えば、１００〔Ｖ〕系と２００〔Ｖ〕系の異なる入力電圧に対しで回路を共用できるようにするために、ある範囲内の電源電圧（入力電圧）で使用できように、回路を構成する各素子の定数を設定する。図４に示す構成を有した電源回路も、ある範囲の入力電圧に適用出来るように設計されるが、異なる入力電圧に対しその出力の垂下特性が図５に示すように変化する問題があった。
　すなわち図４の回路では、スイッチングトランジスタＱ１のゲートには抵抗Ｒ２を介して入力電圧がバイアス電圧として印加されている。そのため、入力電圧が高ければスイッチングトランジスタＱ１のゲートには大きな順方向バイアスが加わり、逆に入力電圧が低ければ小さな順方向バイアスが加わることになる。
　【００１１】
　ここで、出力端子２ａ、２ｂから見た出力側のインピーダンスが小さくなると、やがて過電流保護動作が行われ、負荷電流が一定で出力電圧が低下していく。出力電圧が低下するとスイッチングトランジスタＱ１がターンオフした時にトランスＴの各巻線に現れるフライバック電圧も小さくなる。すると３次巻線Ｎ３、コンデンサＣ３、抵抗Ｒ４がスイッチングトランジスタＱ１のゲートに供給する電圧信号は小さくなり、その結果、スイッチングトランジスタＱ１のゲートに加わるバイアスは入力電圧によって大きな影響を受けるようになる。
　【００１２】
　このような回路の状態において、先ず、入力端子１ａ、１ｂ間に高い入力電圧が印加されると、抵抗Ｒ２を介してスイッチングトランジスタＱ１のゲートに印加される電圧は高くなり、このためスイッチングトランジスタＱ１はオン状態に移行しやすい状態となる。そのため図６のゲート電圧の波形図に示すように、３次巻線Ｎ３、コンデンサＣ３、抵抗Ｒ４によって印加される逆バイアスの電圧が低下すると、スイッチングトランジスタＱ１はすぐにターンオンするようになる。その結果、スイッチングトランジスタＱ１のオフ期間は短くなり、出力端子２ａ、２ｂ間が短絡に近い状態になるほど、図５の線（Ｈ）のように負荷電流が増加する現象が発生してしまう。
　この現象によって負荷電流が大きくなると、回路中の各素子にかかる負担が増大し、回路が破損する恐れがあった。
　【００１３】
　一方、出力電圧が低い場合には、抵抗Ｒ２を介してスイチングトランジスタＱ１のゲートに印加される電圧は低くなり、スイッチングトランジスタＱ１はオン状態に移行しにくい状態となる。ここで、３次巻線Ｎ３、コンデンサＣ３、抵抗Ｒ４によって印加される逆バイアスの電圧を見ると、コンデンサＣ３の端子間電圧に負うところが大きくなっている。コンデンサＣ３の端子間電圧については、入力電圧が低いことと３次巻線Ｎ３発生するフライバック電圧が小さくなることにより、電圧の極性が反転し、抵抗Ｒ４側の方が高電位となるのが遅くなる。その結果、図６に示すようにスイッチングトランジスタＱ１のオフ期間は長くなり、図５の線（Ｌ）のように所定の電圧より出力電圧が低下すると、負荷電流が急激に小さくなる現象が現れる。
　【００１４】
　例えば、電源回路に接続される負荷が、電圧供給開始直後にはインピーダンスの低い容量性あるいは誘導性の負荷であった場合、図４の回路では出力電圧が低い起動時において負荷に充分な電流を供給できず、負荷あるいは電源回路自体が起動できないことがあった。
　本発明は、上記問題点を鑑み、スイッチング電源回路の出力垂下特性を改善し、入力電圧が高い時には大きな負荷電流が流れず、また入力電圧が低い時には起動時においても充分な負荷電流が供給できる自励式スイッチング電源回路を提供することを目的とする。
　【００１５】
　【課題を解決するための手段】
　本発明は、インダクタンス部品とスイッチング素子を直列に接続し、インダクタンス部品に発生する電圧をスイッチング素子にフィードバックして自励発振を行わせる自励式スイッチング電源回路において、スイッチング素子の主電流路に直列接続され、スイッチング素子に流れる電流を検出する電流検出手段、スイッチング素子の制御端子に接続され、電流検出手段からの信号に応じてスイッチング素子の制御端子に入力される信号を制限する制御手段、回路の入力端子に接続され、回路の入力電圧でスイッチング素子に順方向バイアスを与えるための第１の抵抗素子よりなる起動回路、並びに、起動回路と入力端子との間に接続された定電圧ダイオード及び起動回路とスイッチング素子の制御端子との間に接続された第２の抵抗素子よりなる定電流回路、を具備することを特徴とする。
　【００１６】
　【発明の実施の形態】
　トランス等のインダクタンス部品の所定の巻線にスイッチング素子の主電流路を直列に接続し、スイッチング素子の制御端子にインダクタンス部品の巻線を含む信号帰還回路を接続する。スイッチング素子の制御端子には制御用のトランジスタ素子の主電流路を接続し、スイッチング素子の主電流路には電流検出手段を直列に接続し、そして電流検出手段からトランジスタ素子の制御端子にスイッチング素子を流れる電流に相当する信号が入力されるように構成する。
　入力端子に起動回路を接続し、起動回路とスイッチング素子の制御端子との間に定電流回路を接続する。
　スイッチング素子の制御端子に与える、スイッチング素子を導通させるための初期の順方向のバイアスを、起動回路からスイッチング素子の方向に一定の電流を流すことによって供給する。これにより入力電圧の大きさによってスイッチング素子の制御端子に与えられる順方向のバイアスが変化しないようにする。
　【００１７】
　【実施例】
　出力の垂下特性を改善した本発明による自励式スイッチング電源回路の実施例を図１に示した。
　図１に示す回路は以下の構成部分を除いて、図３で説明した従来の回路と同一の回路構成となっている。すなわち図１の回路では、入力端子１ａとスイッチングトランジスタＱ１のゲートとの間に抵抗Ｒ２と抵抗Ｒ１０を直列に接続し、抵抗Ｒ２と抵抗Ｒ１０の接続点と入力端子１ｂとの間に定電圧ダイオードＤＺ２を接続している。ここで、抵抗Ｒ２は図３と同様に起動回路であり、抵抗Ｒ１０と定電圧ダイオードＤＺ２は定電流回路３を形成している。
　このように定電流回路３を設けることにより図１に示す回路の動作は以下のように改善される。
　【００１８】
　先ず、定電流回路３の作用により、抵抗Ｒ２からスイッチングトランジスタＱ１のゲートに向かって流れる電流は入力電圧の大きさによる変動が無くなり、スイッチングトランジスタＱ１のゲートに印加される順方向バイアスをほぼ同レベルに設定することができるようになる。そのため、入力電圧の変動幅に左右されずにスイッチングトランジスタＱ１の順方向バイアスを最適な状態に設定することが可能となる。
　次に、定電流回路３からスイッチングトランジスタＱ１のゲートに向かって供給される電流は大きく変動しないため、過電流保護動作時においてスイッチングトランジスタＱ１のオフ期間を決定する３次巻線Ｎ３とコンデンサＣ３のエネルギーの充放電時間はほぼ一定になる。
　【００１９】
　この２つの作用によってスイッチングトランジスタＱ１のオフ時間は入力電圧、出力端子２ａ、２ｂ間のインピーダンスの値に関わらずほぼ一定にすることが可能となる。このときのスイッチングトランジスタＱ１のゲート電圧の波形図を図３に示しておいた。
　このように図１に示す回路では、スイッチングトランジスタＱ１のオン期間は過電流保護動作によってスイッチングトランジスタＱ１を流れる電流に応じて制御され、オフ期間は定電流回路３によってほぼ一定となる。このため、入力電圧の大きさ、出力端子２ａ、２ｂ間のインピーダンスの値によって負荷電流が増加あるいは減少することが無くなり、図１の回路の高入力時（Ｈ）、低入力時（Ｌ）のそれぞれの出力の垂下特性は図２に示すように改善される。
　【００２０】
　この図２の出力の垂下特性を見ると分かるように、図１の回路によれば、負荷電流の増加による回路の破損の恐れや、起動時に負荷へ充分な電流を供給できなくなる事態、そして容量性あるいは誘導性の負荷を起動できなくなる事態を防止することが可能になる。
　なお図１の回路では、定電流回路３は定電圧ダイオードＤＺ２、抵抗Ｒ１０によって構成しているが、定電流ダイオードやトランジスタ素子を使用して定電流特性を有する回路を構成したものでも良い。
　【００２１】
　【発明の効果】
　以上に述べたように本発明による自励式スイッチング電源回路は、インダクタンス部品に現れる電圧信号を正帰還してスイッチング素子に自励発振動作を行わせ、さらにスイッチング素子に流れる電流を検出して過電流保護を行うスイッチング電源回路において、スイッチング素子の制御端子と起動回路の間に定電流回路を設ける構成を特徴としている。
　この構成によれば、スイッチング素子のオフ期間が、入力電圧、負荷状態によって不安定に変動しないようにすることができる。その結果、出力端子間が短絡に近い状態となっても、負荷電流がほぼ一定となるように回路の出力の垂下特性を改善することができ、入力電圧の大きさ及び負荷の状態によって負荷電流が増加あるいは減少することを防止できる。そして、出力の垂下特性が改善されることにより、回路が破損する、起動時に充分な電流を供給できない等の問題の発生を防止することができるようになる。
【図面の簡単な説明】
　【図１】　本発明による自励式スイッチング電源回路の実施例の回路図。
　【図２】　図１の回路の出力の垂下特性。
　【図３】　図１の回路の高・低入力時におけるスイッチング素子のゲート電圧の波形図。
　【図４】　従来の自励式スイッチング電源回路の一例の回路図。
　【図５】　図４の回路の出力の垂下特性。
　【図６】　図４の回路の高・低入力時におけるスイッチング素子のゲート電圧の波形図。
　【符号の説明】
１ａ、１ｂ　入力端子
２ａ、２ｂ　出力端子
３　定電流回路
Ｔ　トランス
Ｎ１　１次巻線
Ｎ２　２次巻線
Ｎ３　３次巻線
Ｑ１　スイッチングトランジスタ
Ｑ２　制御用のトランジスタ
ＤＺ２、Ｒ１０　定電流回路を構成する定電圧ダイオードと抵抗
Ｒ１　電流検出手段としての抵抗
Ｒ２　起動回路としての抵抗
Ｒ４、Ｃ３　信号帰還回路を構成する抵抗とコンデンサ
ＰＨ１、ＰＨ２　フォトカプラの発光素子と受光素子